(57)【特許請求の範囲】
【請求項１】
部品を搭載し、位置決め用突起を有する基台と、
前記突起の近辺に配設した他部品と、
前記突起に係合する開口部を形成した基部と、この基部から延長して形成され、前記他部品に弾力的に作用する作用部と、を有する作用部品と、
前記作用部品を前記基台に固定する固定部材と、
を有する部品固定構造であって、
前記作用部品は、前記開口部を前記突起に係合させた状態から、前記固定部材により前記基台に固定されると、前記作用部品が前記他部品に圧接するように前記作用部が形成されている部品固定構造であって、
前記他部品が歯車であり、前記作用部品が躍制部材であり、
前記作用部は、前記基台の平面方向に延在する弾性部と、前記弾性部の先端に設けられ、前記基台の搭載面の近辺に配設された歯車に噛み合う躍制部を有することを特徴とする部品固定構造。
【請求項２】
部品を搭載し、位置決め用突起を有する基台と、
前記突起の近辺に配設した他部品と、
前記突起に係合する開口部を形成した基部と、この基部から延長して形成され、前記他部品に弾力的に作用する作用部と、を有する作用部品と、
前記作用部品を前記基台に固定する固定部材と、
を有する部品固定構造であって、
前記作用部品は、前記開口部を前記突起に係合させた状態から、前記固定部材により前記基台に固定されると、前記作用部品が前記他部品に圧接するように前記作用部が形成されている部品固定構造であって、
前記作用部品は、前記基台の搭載面の縁に接触して保持されたときに前記開口部が前記位置決め用突起の突出方向に対して正対させずに斜めに傾いた状態を維持することを特徴と
する部品固定構造。
【請求項３】
前記作用部品の前記開口部の径は、前記位置決め用突起の径よりも大きい径を有することを特徴とする請求項１又は２に記載の部品固定構造。
【発明の詳細な説明】
【技術分野】
【０００１】
本発明は、他の部材に弾性接触するバネ部材などの組込み構造に関する発明であって、例えば、太陽電池時計のソーラーセルと回路基板の電気接続に使用する接点バネや、時計の歯車の位置を規制する躍制部材などに最適な構造である。
【背景技術】
【０００２】
従来から太陽電池時計のソーラーセルと回路基板を電気接続する構造としては２つの構造があった。一つは接点バネを使用する構造であり、もう一つは可撓性の接続部材を使用する構造であった。
【０００３】
文字板と、時計駆動部と、発電面に出力端子を有し、時計駆動部の動力源となる電力を発生させる太陽電池と、太陽電池の出力端子と回路基板を導通させる為の接点バネと、太陽電池の発電面が文字板表面に向きながら、文字板の外周部に環状に配置された時計は従来から特許文献１に提案されている。
【０００４】
また、接点バネではなく、太陽電池の出力端子に可撓性の接続部材を熱圧着し、それを時計駆動部の回路基板へ接続させる構造が特許文献２に提案されている。
【先行技術文献】
【特許文献】
【０００５】
【特許文献１】特開２００３−１３０９７４号公報（図１)
【特許文献２】ＷＯ２００４／０６６０４２（図１、図６）
【発明の概要】
【発明が解決しようとする課題】
【０００６】
特許文献１の図１のような構造とすることにより、接点バネを使用してリング状に太陽電池を配置した太陽電池時計を作ることが可能である。
【０００７】
しかしながら、特許文献１の構造は以下のような問題点を有する。
接点バネを用いて太陽電池と回路基板の導通を取る構造は、太陽電池が先に組まれた状態で接点バネを組むと、接点バネを太陽電池に当て込みながら接点バネの位置決め用突起部に接点バネの固定部を入れ込むことになるため、組み難く、接点バネによって太陽電池を傷付けてしまう可能性があった。
【０００８】
また逆に、接点バネを先に組まれた状態で、太陽電池を後から組み込む場合は、接点バネの接点部が太陽電池に接触しないように手で撓ませながら太陽電池をリング状に組む必要があったため、大変組み難かった。即ち、接点バネ構造は、組立作業性に問題があった。
【０００９】
一方、特許文献２の図１にあるような太陽電池の出力端子に可撓性の接続部材を熱圧着した部品構成で、特許文献２の図６にある構造とした場合は、特許文献１の構造よりも組立作業性が改善される。
【００１０】
しかしながら、特許文献２の構造は以下のような問題点を有する。
太陽電池に可撓性の接続部材を熱圧着し、それを時計駆動部の回路基板へ接続させる構造は、回路基板と太陽電池を接続部材で直接繋げている関係上、FPC基板のような可撓性の
あるフレキシブルな接続部材ではないと成り立たなくなる。
この場合、接続部材単体のコストが高くなってしまい、更に太陽電池と接続部材の熱圧着工程が入るため、太陽電池回りのコストが上がってしまう。
【００１１】
また、接続部材を回路基板にネジなどで接続固定させる構造は、ネジの緩みによって接点バネの様に安定した接点圧が取れないことがあるため、電気的接点が安定しない問題があり、構造上工夫する必要があった。
【００１２】
本発明は、上記のような太陽電池時計において、コストと安定した接点を確保するため、接点バネで導通させるような構造を採用したとき、先に組んだ太陽電池を傷付けることが無く、後から容易に接点バネを組むことが出来る構造を提供する。
【００１３】
また、歯車に対する側圧バネの構造や躍制バネの構造でも同様な構造を用いることで、側圧バネの構造や躍制バネの構造でも組立作業性の効率アップを図ることを目的としている。
【課題を解決するための手段】
【００１４】
本発明は、部品を搭載し、位置決め用突起を有する基台と、
前記突起の近辺に配設した他部品と、
前記突起に係合する開口部を形成した基部と、この基部から延長して形成され、前記他部品に弾力的に作用する作用部と、を有する作用部品と、
前記作用部品を前記基台に固定する固定部材と、
を有する部品固定構造であって、
前記作用部品は、前記開口部を前記突起に係合させた状態から、前記固定部材により前記基台に固定されると、前記作用部品が前記他部品に圧接するように前記作用部が形成されている部品固定構造であって、
前記他部品が歯車であり、前記作用部品が躍制部材であり、
前記作用部は、前記基台の平面方向に延在する弾性部と、前記弾性部の先端に設けられ、前記基台の搭載面の近辺に配設された歯車に噛み合う躍制部を有することを特徴とする。また、部品を搭載し、位置決め用突起を有する基台と、
前記突起の近辺に配設した他部品と、
前記突起に係合する開口部を形成した基部と、この基部から延長して形成され、前記他部品に弾力的に作用する作用部と、を有する作用部品と、
前記作用部品を前記基台に固定する固定部材と、を有する部品固定構造であって、
前記作用部品は、前記開口部を前記突起に係合させた状態から、前記固定部材により前記基台に固定されると、前記作用部品が前記他部品に圧接するように前記作用部が形成されている部品固定構造であって、
前記作用部品は、前記基台の搭載面の縁に接触して保持されたときに前記開口部が前記位置決め用突起の突出方向に対して正対させずに斜めに傾いた状態を維持することを特徴とする。
【発明の効果】
【００１５】
本発明を実施することにより、以下の様な効果を得ることが出来る。
作用部品の開口部を位置決め用突起の突出方向に対して正対させずに斜めに傾いた状態で係合させたときは、作用部が他部品に作用せずに組み込まれるから、組込性の問題が解消され、接点バネのような構造でも容易に組むことが可能となる。
【００１６】
また、作用部品が他部品に作用しないまま、斜めに傾いた状態で維持できるため、片方の腕を、作用部の反力で作用部品が外れないように押える必要が無く、両腕が自由に作業出来るようになるため、作業効率の向上に繋げることが可能となる。
【図面の簡単な説明】
【００１７】
【図１】本発明の実施例１である太陽電池を文字板の外周に環状に配置した時計の要部断面図である。
【図２ａ】実施例１の時計を裏蓋側から見た平面図である。
【図２ｂ】実施例１の太陽電池の電極部と時計駆動部の回路基板を繋げている接点部を拡大した平面図である。
【図２ｃ】実施例１の接点バネの位置決め穴と基台の位置決め突起の関係を示した要部断面図である。
【図３】実施例１の時計を文字板側から見た平面図である。
【図４】実施例１の接点バネと太陽電池の接続構造を示した要部外観図である。
【図５】実施例１の太陽電池の形状を図示した平面図である。
【図６ａ】実施例１の接点バネを示した平面図である。
【図６ｂ】実施例１の接点バネを示した断面図である。
【図７】実施例１の時計に接点バネを組み込む前の状態を示した要部断面図である。
【図８】実施例１の接点バネの組込み手順を示した要部断面図である。
【図９】実施例１の接点バネの組込み手順を示した要部断面図である。
【図１０】実施例１の接点バネの組込み手順を示した要部断面図である。
【図１１ａ】実施例２の時計を裏蓋側から見た平面図である。
【図１１ｂ】実施例２の太陽電池の電極部と時計駆動部の回路基板を繋げている接点部を拡大した平面図である。
【図１１ｃ】実施例２の接点バネの位置決め穴と基台の位置決め突起の関係を示した要部断面図である。
【図１２】実施例２の接点バネ関係の部品の組み込みが完了した要部断面図である。
【図１３】実施例２である太陽電池を文字板の外周に環状に配置した時計の要部断面図である。
【図１４ａ】実施例１又は実施例２の変形例の、位置決め穴１−２での状態を示した平面図である。
【図１４ｂ】実施例１又は実施例２の変形例の、位置決め穴２−３での状態を示した平面図である。
【図１５ａ】実施例３の作動車と側圧バネが組まれた状態を示した平面図である。
【図１５ｂ】実施例３の側圧バネの位置決め穴と基台の位置決め突起の関係と側圧バネの側圧部と作動車の関係を示した要部断面図である。
【図１６ａ】実施例３の側圧バネが途中まで組まれた状態を示した平面図である。
【図１６ｂ】実施例３の側圧バネが途中まで組まれた時の側圧バネの位置決め穴と基台の位置決め突起の関係と側圧バネの側圧部と作動車の関係を示した要部断面図である。
【図１７ａ】実施例４である、充電式時計の平面図である。
【図１７ｂ】実施例４である、二次電池と接点バネを拡大した平面図である。
【図１７ｃ】実施例４である、二次電池と接続バネの構造を示した要部断面図である。
【発明を実施するための形態】
【００１８】
以下、図面を用いて本発明の各実施例を説明する。
【実施例】
【００１９】
〔実施例１〕
まず、本実施例における、太陽電池を文字板の外周に環状に配置した時計の全体配置の概要を、図１〜図５を用いて説明する。
【００２０】
図１において、１０は時計のベースとなり、各構成部品を組み込むための地板、２０は時計駆動部を構成する回路基板、４０は時計の動力の元となる電力を発電する太陽電池であり、本発明の他部品に相当する。５０は回路基板２０と太陽電池４０とを導通させる接点バネであり、本発明の作用部品に相当する。３０は接点バネ５０を搭載する基台、６０は回路基板２０と接点バネ５０を押える接点バネ押さえ、７０は接点バネ５０と、その接点バネ５０を押さえる接点バネ押さえ６０とをショートさせないために両者の間に入れる絶縁シート、８０は接点バネ押さえ６０を基台３０に固定するための接点バネ押さえねじ、９０は太陽電池４０を環状に搭載するための太陽電池用基台であり、実施例１では時計ムーブメントを外装ケースに保持する中枠として兼用されている。１００は時計の文字板、１１０はスペーサ、１２０は太陽電池を見え難くするとともに、太陽光などの光を太陽電池４０に導くための透明リング、１３０はこれら部材を搭載した時計ムーブメント、１４０はこれら部材を搭載した時計ムーブメント１３０を収納する外装ケース、１５０は時計ムーブメント１３０が収納した外装ケース１４０から落ちないように蓋をする裏蓋である。
【００２１】
図１に示したように、地板１０の一方の面側にはスペーサ１１０が配置され、スペーサ１１０の上に文字板１００が搭載されている。また地板１０には太陽電池用基台９０が係合しており、文字板１００の一部が太陽電池用基台９０の上にも搭載している。透明リング１２０は文字板１００と太陽電池用基台９０に搭載されて配置されている。地板１０の他方の面側にはプラスチック製の基台３０が配置されており、この基台３０に回路基板２０と接点バネ５０が配置固定されている。
【００２２】
接点バネ５０はその一方が回路基板２０の所定の電極パターンに圧接して固定さており、他方は時計ムーブメン１３０の側面に沿うように地板１０側に曲げられている。そしてその先端側は、文字板１００の外周に沿って環状に配置されるように太陽電池用基台９０に搭載された太陽電池４０の電極部４１に圧接している。
【００２３】
太陽電池４０は図５に示すように、展開すると細長いほぼ四角形であって、図中長辺方向の左端（Ａ端）は短辺方向に少し突出するようにＬ字型に曲がっており、この部分に太陽電池４０の電力を出力するための電極部４１が設けられている。図中右側（Ｂ端）から左側（Ａ端）にかけて発電面４２が設けられている。そして図５に示したように発電面４２が内側を向くようにリング状に曲げられ、図２に示したように太陽電池用基台９０に搭載されることで、文字板１０の外周に配置されている。
【００２４】
図２ａは実施例１の時計のムーブメント全体を裏蓋側から見た平面図であり、裏蓋１５０を外した状態で示してある。時刻表示を見たとき６時位置に接点バネ５０と接点を取る太
陽電池４０電極部４１が配置されるようにしてある。
【００２５】
図２ｂは実施例１の太陽電池４０の電極部４１と回路基板２０を繋げている接点バネ５０を拡大した平面図である。図２ｃは実施例１の接点バネ５０の位置決め穴５２ａと基台３０の位置決め突起３２の関係を示した要部断面図である。
【００２６】
図２ｂ、図２ｃに示したように、接点バネ５０は基台３０の位置決め突起部３２に係合している。
【００２７】
接点バネ５０単体での構造を図６に示す。図６ａは接点バネ５０を示す平面図、図６ｂは接点バネ５０の断面図である。図６ａ、ｂにおいて、接点バネ５０は基部５１を有し、その基部５１に位置決め穴５２ａ，５２ｂが形成されており、位置決め穴５２ｂ側の端部に回路基板２０と接触する回路接点部５６が形成されており、さらに反対側には、図１における基台３０の搭載面３１から基台３０の側面に沿って折り曲げられた弾性部５３を有し、その弾性部５３の先端には、太陽電池４０の電極部４１と接触する接点部５４を有し、太陽電池４０が発電した電力を時計ムーブメントの回路基板２０に導通させている。穴の大きさは位置決め突起径３２よりも大きく設定されている。この場合、太陽電池４０の電極部４１は、位置決め突起径３２の近辺に配置される。
【００２８】
接点バネ５０の２つの位置決め穴５２ａ，５２ｂは、時計の外形サイズに合わせて２つ設けてあり、外形が小さい場合は位置決め穴５２ａを利用し、外形が大きい場合は位置決め穴５２ｂを利用するようになっている。
【００２９】
接点バネ５０の位置決め穴５２ａ、５２ｂの形状は、本実施例のような丸穴だけでなく、角穴、楕円穴、長穴、切り欠き形状等の開口部でも良い。丸穴は他の形状の穴に比べ、部品の精度が出しやすいため、本実施例で丸穴を採用している。また、位置決め穴を１箇所にしか設けない場合は、その部品の位置がズレないように、図２ｂに示す規制突起部３３ａ，３３ｂのような突起物を搭載面３１に設けることが望ましい。
【００３０】
図３は文字板側の構造を示した平面図、図４は太陽電池と接点バネの関係を簡易的に示した要部外観図である。太陽電池４０はＡ端側が記載されているが、Ｂ端側は記載を省略している。図３、図４において、図３で示すように、太陽電池４０が文字板１００側に組み込めるように、太陽電池用基台９０に太陽電池組み込み用溝９１が配置され、太陽電池４０は図５に示すように、Ｌ型の形状にして、図４で示すように電極部４１を裏蓋側に出し、接点バネ５０と導通が取り易いように構成する。
【００３１】
次に実施例１における接点バネ５０の組込み手順を説明する。
図７〜図１０は接点バネの組込み手順を示した実施例１の時計の要部断面図である。図７から図１０は、図中上が裏蓋側がであり、図中下が時刻表示部側になっている。
【００３２】
接点バネ５０が組まれる前の時計の状態を断面図で図７に示す。
接点バネ５０よりも先に、地板１０と、時計駆動部の回路基板２０と、基台３０と、太陽電池基台９０と、太陽電池４０と、スペーサ１１０と、時計の文字板１００と、透明リング１２０とを組まれた状態にする。
【００３３】
次に接点バネ５０が組まれる過程を図８、図９に示す。
図示しているように、接点バネ５０が有する位置決め穴５２ａ、つまり基部５１を基台３０が有する位置決め突起部３２の突出方向に対して正対させず斜めに傾けた状態のまま係合させながら組み込む。こうすることにより、太陽電池４０の電極部４１に接点バネ５０の接点部５４を作用させることなく、組むことが可能となる。この場合の作用させないと
いう意味は、接点バネ５０の接点部５４が太陽電池４０の電極部４１に軽く接触するか、または接触しないで離間した状態であって、確実な接触でない状態を意味している。
この際、接点バネ５０の位置決め穴５２ａ（５２ｂ）の穴径は図２ｃのように、基台３０の位置決め突起部３２の径よりも少し大きくすることで、斜めに組み込まれた際に、基台３０の突起部３２が接点バネ５０の位置決め穴５２ａ（５２ｂ）の穴縁部５５ａ（５５ｂ）に引っ掛らないようにすることが重要である。
【００３４】
前述のように接点バネ５０を組込む際には、接点バネ５０の接点部５４が太陽電池４０の電極部４１に対して軽く当接して組まれても、または離間して組まれても、太陽電池４０の電極部４１に接点バネ５０の接点圧が掛からなければ、組み込み作業性の効果に差異はない。
【００３５】
接点バネ５０はその重心の位置を工夫することにより組み込みをより容易にすることができる。例えば接点バネ５０の重心が基部５１側にあった場合は、接点バネ５０を基台３０の搭載面３１の縁３４に到達した位置（図９）まで組むと、基台３０の搭載面３１の縁３４を支点とし、接点バネ５０の弾性部５３に設けられた接点部５４が、太陽電池４０（本発明の電気部品に相当する）の電極部４１に軽く当接して、傾いた状態を維持することが可能となる。つまり接点バネ５０の接点部５４が太陽電池４０の電極部４１の近くに位置するまでは接点バネ５０の基部５１を斜めに傾けて組み込む必要がある。但し、接点バネ５０の接点部５４に接触したあとは、基部５１が自重で基台３０の搭載面３１に対して水平にもどろうとするので、後での固定がしやすいという効果がある。
【００３６】
一方、弾性部５３と接点部５４側に重心がある場合は、基台３０の搭載面３１の縁３４を支点とし、接点バネ５０の位置決め穴５２ａ（５２ｂ）の穴縁部５５ａ（５５ｂ）が基台３０の位置決め突起部３２の側面に引っ掛り、基部５１が傾いて弾性部５３の接点部５４は太陽電池４０の電極部４１から離れる方向に移動しやすいので、基台３０の位置決め突起部３２に基部５１の位置決め穴５２ａ（５２ｂ）が自然と斜めに傾斜して入れやすくなり、組込みしやすくなる。
【００３７】
このように接点バネ５０の重心がどちらに有っても、それぞれ作業性に有利な効果があるので、接点バネ５０の重心の位置は適宜選択して使用することができる。
【００３８】
次に接点バネ５０の組み込み完了後を図１０に示す。接点バネ５０が図９の位置まで組まれた後、接点バネ５０と接点バネ押さえ６０とをショートさせない為の絶縁シート７０を組み、次にそれらを押さえる為の接点バネ押さえ６０を組み、更にこれらを固定させるために、接点バネ押さえねじ８０を組む。
これにより、斜めに傾いていた接点バネ５０の基部５１が基台３０の搭載面３１と正対する形となるため、太陽電池４０の電極部４１に作用していなかった接点バネ５０の接点部５４が電極部４１に圧接して弾力的に作用することになり、太陽電池４０から出力される電力を接点バネ５０に導通することができる。
【００３９】
また、接点バネ５０の回路接点部５６も時計駆動部の回路基板２０と圧接するため、接点バネ５０に導通した太陽電池４０から出力された電力を時計駆動部の回路基板２０に伝えることが可能となる。
そしてこの時計ムーブメント１３０を外装ケース１４０に入れると図１の完成時計となる。
【００４０】
〔実施例２〕
次に本発明の実施例２を説明する。図１１ａは実施例２の時計を裏蓋側から見た平面図、
図１１ｂは太陽電池の電極部と時計駆動部の回路基板を繋げている接点部を拡大した平面図、図１１ｃは接点バネの位置決め穴と基台の位置決め突起の関係を示した要部断面図である。図１２は実施例１の接点バネ関係の部品の組み込みが完了した要断面図で、図１３は図１２の時計ムーブメントを外装ケースに入れて完成時計にしたものを示す要部断面図である。
【００４１】
実施例２の時計は、実施例１の時計よりも時刻表示面積が広くなって、環状に配置された太陽電池４０の配置位置が実施例１の場合よりも時計ムーブメント１３０からさらに外側に配置された構造になっている。
そのため、接点バネ５０は位置決め穴５２ｂを位置決め突起部３２に係合させることにより、接点部５４の位置を実施例１のときよりも外側に移動させている。位置決め穴５２ｂは位置決め穴５２ａより奥側にあるので、接点バネ５０の接点部５４がさらに外側へ移動するので、太陽電池４０の電極部４１と接触させることができる。
これにより、外側へ移動した太陽電池４０の電極部４１と圧接できるようになっている。なお、接点バネ５０の組み立て手順などは実施例１と同様なので省略する。
【００４２】
〔変形例〕
上記実施例１、２では、基台３０の位置決め突起部３２が１つの接点バネ５０に対し、１箇所しか設けていないが、図１４ａ，図１４ｂのように、１つの接点バネに２箇所以上の位置決め突起部３２ａ，３２ｂを係合させて位置決めさせることも可能である。
【００４３】
また、位置決め穴を２箇所設ける場合は、図１４ａ，図１４ｂの様に、位置決め穴５２を３つ（５２ａ〜５２ｃ）用意する事で、図１４ａの位置決め穴５２ａ、位置決め穴５２ｂ、図１４ｂの位置決め穴５２ｂ、位置決め穴５２ｃの組合せで、位置決め穴が１つの物と同様に使用出来る。
【００４４】
〔実施例３〕
次に本発明の実施例３を図１５ａから図１６ｂに基づいて説明する。
図１５ａは時計の歯車のバックラッシを詰めるために、歯車の一つに一定の負荷を与える側圧バネ機構を示した平面図であり、側圧バネが側圧を受ける対象の作動車に掛かっている状態を示した平面図である。図１５ｂは図１５ａの断面図である。図１６ａ側圧バネを組込む手順を示した平面図、図１６ｂはその断面図である。
【００４５】
図１５ａ、図１５ｂにおいて、２３０は各構成部品を組み込むための基台、２２０は図示していない指針や円板が取り付けられる表示車、２４０は表示車２２０を作動させる作動車、２５０は作動車２４０のバックラッシ詰めを行うための側圧バネ、２６０は側圧バネ２５０を押さえる側圧バネ押さえで構成される。本実施例では、側圧バネ２５０が本発明の作用部品に相当し、作動車２４０が他の部品に相当する。
【００４６】
側圧バネ２５０は基部２５１を有し、その基部２５１には２つの位置決め穴２５２ａと位置決め異形穴２５２ｂが設けられている。さらに基部２５１からは、下方向に折り曲げられ、平面方向に弾性を有する弾性部２５３を有し、その弾性部２５３の先端には、作動車２４０を側圧する側圧部２５４を有している。
【００４７】
基台２３０は側圧バネ２５０の基部２５１を搭載する搭載面２３１を有し、その搭載面２３１には位置決め突起２３２ａ，２３２ｂと、搭載面２３１に側圧バネ２５０が組まれたときに側圧バネ２５０の基部２５１の平面方向を規制する規制突起部２３３ａ〜２３３ｄを有している。さらに搭載面２３１から一段下がった位置には、側圧バネ２５０から側圧を受ける作動車２４０を搭載する作動車搭載面２３４を有し、その作動車搭載面２３４には作動車２４０用の回転軸２３５を有している。この場合、作動車２４０は位置決め突起
２３２ａ，２３２ｂの近辺に配置されている。
なお、側圧バネ２５０の位置決め穴２５２は本実施例の様な丸穴や異形状穴だけでなく、角穴，楕円穴，長穴，切り欠き形状等でもよい。
【００４８】
側圧バネ２５０の組込み手順は、前述した実施例１の接点バネとほぼ同じだが、簡単に説明する。図１６ａ、図１６ｂにおいて、基台２３０に対して先に表示車２２０と作動車２４０とを組込みその後で側圧バネ２５０を組込む。
【００４９】
この際に、側圧バネ２５０を有する位置決め穴２５２ａと位置決め異形穴２５２ｂとを基台２３０が有する位置決め突起部２３２ａ，２３２ｂの突出方向に対して正対させず斜めに傾けた状態のまま係合させながら組む。言い換えると、位置決め突起部２３２ａ、２３２ｂが形成された搭載面２３１に対して、側圧バネ２５０の基部２５１を正対させないで斜めに傾けて組み込む。傾ける方向は、作動車２４０の配置方向で、こうすることで作動車２４０の歯車部２４１に側圧バネ２５０の側圧部２５４を作用させることなく、組む込むことが可能となる。
【００５０】
この際に、側圧バネ２５０の位置決め穴２５２ａと位置決め異形穴２５２ｂの穴径は、基台２３０の位置決め突起部２３２ａ，２３２ｂの径よりも少し大きくすることで、斜めに組み込まれた際に、基台２３０の位置決め突起部２３２ａ，２３２ｂが側圧バネ２５０の位置決め穴２５２ａと位置決め異形穴２５２ｂの穴縁に引っ掛らないようにすることが重要である。
【００５１】
側圧バネ２５０を組込む際には、側圧バネ２５０の側圧部２５４が作動車２４０の歯車部２４１に軽く当接して組まれても、離間して組まれても、作動車２４０の歯車部２４１に側圧バネ２５０の側圧が十分に掛からなければ、組み込み作業性の差異は無い。
【００５２】
また、側圧バネ２５０が躍制バネの場合でも同様の効果を得ることが可能となる。
図１６ａ、図１６ｂの状態から、側圧バネ２５０を押さえる側圧バネ押さえ２６０を組むことで、図１５の作動車２４０は、側圧バネ２５０の側圧部２５４で側圧された状態となるが、この際に、側圧バネ２５０の反力を基台２３０の規制突起部２３３ａ〜２３３ｄで受けるので、側圧バネ２５０の位置がずれることを防止している。これにより、側圧バネ２５０の側圧部２５４は、作動車２４０に弾力的に作用する。
【００５３】
〔実施例４〕
次に本発明の実施例４を説明する。
図１７ａは本発明の実施例４である充電式時計の平面図、図１７ｂは図１７ａの要部平面図、図１７ｃは図１７ｂの要部断面図である。
【００５４】
図において、３４０は充電式時計の蓄電部である二次電池ブロック、３４１は二次電池ブロックの蓄電部である二次電池、３４２は二次電池の負極側に固定された二次電池リード板である。３２０は回路基板、３５０は回路基板３２０と二次電池ブロック３４０とを導通するための接点バネである。
【００５５】
充電式時計では、一般の時計利用者が誤って二次電池を一次電池に交換しても、一次電池が充電されないようにするため、二次電池の負極側に電極になる二次電池リード板３４２を固定して二次電池３４１をブロック化している。二次電池リード板３４２は、二次電池３４１の側面側に突出するように配置され、そして回路基板３２０側から導出されてくる接続バネ３５０を二次電池リード板３４２の端部に圧接させて導通を取っている。
【００５６】
通常、一次電池には二次電池リード板３４２に相当するものが付いていないので、こうす
ることにより、充電式時計に一次電池を組み込んでも、回路基板３２０と導通する接点バネ３５０と一次電池を接触させることができないようになっている。
ところが、時計の利用者によっては、わざわざ一次電池に二次電池リード板３４２に相当する部材を取り付けて利用しようとする場合もあるため、二次電池そのものを取り出せない構造にすることが望まれていた。しかし、時計に二次電池を先に組み込んで取り外しできない状態にしてから回路基板３２０側の接点バネを組み込むのは組み込みしにくいという問題があった。
【００５７】
そこで実施例４では充電式時計に本発明を適用して問題を解決した例を示す。実施例４では二次電池ブロック３４０を上面側から電池保持板３６０で固定している。電池保持板３６０は二次電池３４１の上面を半分以上を覆っているので、二次電池３４１だけを一般の利用者が取り出すのは難しい構造になっている。プラスチック製の基台３３０には接点バネ３５０を搭載するための搭載面３３１があり、搭載面３３１には接点バネ３５０を位置決めするための位置決め突起部３３２が設けられている。
【００５８】
接点バネ３５０は基台３３０の搭載面３３１に搭載される基部３５１と、位置決め突起部３３２に係合するために基部３５１に設けた位置決め穴３５２を有し、基台３３０の搭載面３３１から基台３３０の側面に沿って折り曲げられた弾性部３５３を有し、その弾性部３５３の先端には、二次電池リード板３４２に接触するための接点部３５４を有している。
【００５９】
接点バネ３５０の基部３５１に設けた位置決め穴３５２の径は、位置決め突起部３３２の径よりも大きくなっているので、前述の実施例と同様に、接点バネ３５０の基部３５１を基台３３０の搭載面３３１や位置決め突起部３３２の突出方向に対して正対させずに斜めに組み込むことにより、接点バネ３５０の接点部３５４を二次電池リード板３４２に対して軽く接触するか、または離間した状態で組み込むことが可能である。
【００６０】
その後で回路基板３２０を組み込むことにより、接点バネ３５０の基部３５１は基台３３０の搭載面３３１に正対して固定され、同時に接点部３５４が二次電池リード板３４２の端部に所定の接点圧を持って弾力的に接触する。
【００６１】
各実施例に示したように本発明によれば、部品の組み込みが容易になり、生産性を向上させることができた。
なお、各実施例で説明した作用部品は、他部品に作用する作用部が、基部から折り曲げて形成されているもので説明したが、本発明はその構造に限定されるものではない。例えば、実施例１の場合は、他部品である太陽電池の電極部の位置と、作用部品である接点バネの接点部とを同じ高さに設定すれば、接点バネは平板形状で形成することができるものである。実施例３の場合も、他部品である作動車の歯車部の位置と、作用部品である側圧バネの側圧部とを同じ高さに設定すれば、側圧バネは平板形状で形成することができるものである。
【符号の説明】
【００６２】
１０  地板
２０，３２０  回路基板
３０，２３０，３３０  基台
３１，２３１，３３１  搭載面
３２，２３２，３３２  位置決め突起部
３３，２３３  規制突起部
４０  太陽電池
４１  電極部
４２  発電面
５０，３５０  接点バネ
５１，２５１，３５１  基部
５２，２５２，３５２  位置決め穴
５３，２５３，３５３  弾性部
５４，３５４  接点部
５５  穴縁部
５６  回路接点部
６０  接点バネ押さえ
７０  絶縁シート
８０  接点バネ押さえねじ
９０  太陽電池用基台（中枠）
９１  太陽電池組み込み用溝
１００  文字板
１１０  スペーサ
１２０  透明リング
１３０  時計ムーブメント
１４０  外装ケース
１５０  裏蓋
２２０  表示車
２３４  作動車搭載面
２３５  回転軸
２４０  作動車
２４１  歯車部
２５０  側圧バネ
２５４  側圧部
２６０  側圧バネ押さえ
３４０  二次電池ブロック
３４１  二次電池
３４２  二次電池リード板
３６０  電池保持板
【図１】
0005858676.tif 000002
【図２ａ】
0005858676.tif 000003
【図２ｂ】
0005858676.tif 000004
【図２ｃ】
0005858676.tif 000005
【図３】
0005858676.tif 000006
【図４】
0005858676.tif 000007
【図５】
0005858676.tif 000008
【図６ａ】
0005858676.tif 000009
【図６ｂ】
0005858676.tif 000010
【図７】
0005858676.tif 000011
【図８】
0005858676.tif 000012
【図９】
0005858676.tif 000013
【図１０】
0005858676.tif 000014
【図１１ａ】
0005858676.tif 000015
【図１１ｂ】
0005858676.tif 000016
【図１１ｃ】
0005858676.tif 000017
【図１２】
0005858676.tif 000018
【図１３】
0005858676.tif 000019
【図１４ａ】
0005858676.tif 000020
【図１４ｂ】
0005858676.tif 000021
【図１５ａ】
0005858676.tif 000022
【図１５ｂ】
0005858676.tif 000023
【図１６ａ】
0005858676.tif 000024
【図１６ｂ】
0005858676.tif 000025
【図１７ａ】
0005858676.tif 000026
【図１７ｂ】
0005858676.tif 000027
【図１７ｃ】
0005858676.tif 000028